(57)【特許請求の範囲】
【請求項１】
カメラ本体内に焦点合わせのためのモータを備えたオートフォーカス式カメラの本体と、この本体のレンズマウントに装着するためのマウント部を有するレンズアダプタと、このレンズアダプタに接続される非専用レンズとしてのフォーカスレンズとから構成され、
上記レンズアダプタは、上記マウント部を介して上記カメラ本体に着脱可能であると共に、胴部と、その胴部内に入れ子式に収納され上記モータによってレンズ軸方向に移動する可動筒とからなり、この可動筒の先端部に、上記フォーカスレンズを接続するためのねじ部が設けられていることを特徴とするレンズアダプタ付きオートフォーカスカメラ。
【請求項２】
上記フォーカスレンズは、ねじ部を介して接続されているフォーカスレンズのマウント側胴部を緩めて取り外すことによって現れる雄ねじ部を、上記レンズアダプタのねじ部としての雌ねじ部に螺合するように構成されている請求項１記載のマウントアダプタ付きオートフォーカスカメラ。
【請求項３】
上記レンズアダプタは、上記フォーカスレンズと略同じ焦点距離を持つ専用交換レンズのレンズ部分を取り外すことによって構成されている請求項１または２に記載のレンズアダプタ付きオートフォーカスカメラ。
【発明の詳細な説明】
【技術分野】
【０００１】
本発明は、専用交換レンズ以外の非専用レンズをオートフォーカスカメラに装着して撮影を可能にするレンズアダプタ付きカメラに関するものである。
【背景技術】
【０００２】
今日のレンズ交換式の一眼レフカメラ、レンジファインダーカメラは、ボディと交換レンズとの間で絞り値やオートフォーカス等の情報を、マウントの電気接点を通じて伝達していることから、同じメーカーでも旧式レンズを使用することができなくなりつつある。
【０００３】
このように、カメラメーカー側から供給されている純正レンズの種類が限られているのに対し、純正レンズ以外の特に旧式の他社レンズには数多くの個性的なレンズが存在する。
【０００４】
例えば、幻想的な雰囲気の写真を撮影する場合に、ソフトフィルタを装着することが一般的に行われているが、ソフトフィルタを使用すると画像全体に滲んだ芯のない写りとなってしまう。
【０００５】
これに対し、ソフトフォーカスレンズを使用すると、芯がありながら、やわらかな滲みのある写真が得られる。しかしながら、このようなソフトフォーカスレンズは純正レンズとして用意されていないのが現状である。
【発明の開示】
【発明が解決しようとする課題】
【０００６】
上記ソフトフォーカスレンズの中でも特に、タンバール９０ｍｍ／ｆ２．２は有名であり、このレンズで撮影された画像は、開放ではソフト描写となり、絞り込むほど通常の描写が得られ、ソフト描写ではソフトフィルタとは全く異なり、水彩画のような独特な滲みを持つ柔らかな画像が得られるとされている。
【０００７】
しかしながら、上記タンバールは、レンズ径が異なるために今日のカメラのボディに装着することができない。そのため、この種のソフトフォーカスレンズについても交換レンズと同様に使用したいという要望がある。
【０００８】
また、この種のソフトフォーカスレンズは、ソフト効果をファインダーで確かめながら撮影するのが理想的であるが、ソフトフォーカスが得られるベストのピント位置を探すのは容易でなく、仮にカメラのボディに装着できたとしても、ピント合せをすることは容易でない。
【０００９】
本発明は以上のような従来のレンズ交換式カメラにおける課題を考慮してなされたものであり、専用交換レンズ以外の非専用レンズについてもカメラのボディに装着することができ、オートフォーカス用レンズとして使用することができるレンズアダプタ付きカメラを提供するものである。
【課題を解決するための手段】
【００１０】
本発明は、カメラ本体内に焦点合わせのためのモータを備えたオートフォーカス式カメラの本体と、この本体のレンズマウントに装着されるレンズアダプタと、このレンズアダプタに接続される非専用レンズとから構成され、
上記レンズアダプタは、胴部と、その胴部内に入れ子式に収納され上記モータによってレンズ軸方向に移動する可動筒とからなり、この可動筒の先端部に、上記非専用レンズを接続するためのねじ部が設けられているレンズアダプタ付きオートフォーカスカメラである。
【００１１】
本発明における非専用レンズとは、基本的に、カメラ本体とともに供給されている専用交換レンズ以外のレンズであって、マウントアダプタを利用してもカメラ本体に装着することができないようなレンズを意味する。
【００１２】
本発明において、上記非専用レンズとしてソフトフォーカスレンズを使用した場合、ファインダーを覗いてベストなピント位置を探すことなく、簡便に被写体にピントを合わせることができるようになる。
【００１３】
本発明において、上記非専用レンズは、ねじ部を介して接続されている非専用レンズのマウント側胴部を緩めて取り外すことによって現れる雄ねじ部を、上記レンズアダプタのねじ部としての雌ねじ部に螺合することによって、レンズアダプタに接続することができる。
【００１４】
本発明において、上記レンズアダプタは、上記非専用レンズと略同じ焦点距離を持つ専用交換レンズのレンズ部分を取り外すことによって構成することができる。
【発明の効果】
【００１５】
本発明によれば、専用交換レンズ以外の非専用レンズをカメラのボディに装着することができ、また、装着した状態でピント合せを容易に行なうことができる。
【発明を実施するための最良の形態】
【００１６】
以下、図面に示した実施の形態に基づいて本発明を詳細に説明する。
【００１７】
図１は本発明のレンズアダプタ付きカメラの全体構成図を示した斜視図であり、カメラ本体（ボディ）からレンズを取り外した状態を示している。
【００１８】
なお、本実施形態ではレンジファインダーカメラを例に取り説明する。
【００１９】
１．カメラのボディ
１はオートフォーカス式カメラのボディ、２はそのボディ１に装着されるレンズアダプタ、３はそのレンズアダプタ２に接続される非専用レンズである。
【００２０】
この非専用レンズ３とは、例えばかつてソフトフォーカスレンズとして有名であったタンバール９０ｍｍ／ｆ２．２等のように、専用交換レンズ以外の単焦点レンズが示される。
【００２１】
ボディ１の前面上部にはファイダー窓１ａとオートフォーカス用測距窓１ｂを有し、中央部にはレンズマウント１ｃ、レンズ着脱ボタン１ｄが設けられ、さらに、上記レンズマウント１ｃにはドライバーの先端形状に似たカップリングの駆動軸１ｅが突出している。
【００２２】
なお、１ｆはレンズ指標、１ｇはシャッタースピードダイヤル、１ｈはシャッターボタン、１ｉは露出補正ダイヤル、１ｊはストロボ連動接点である。
【００２３】
オートフォーカスにおけるレンズ駆動方式には、ボディ内にモータを備えたものとレンズ内にモータを備えたものの二種類の方式が知られている。
【００２４】
ボディ内モータは、レンズ側にカップリングの従動軸が、ボディ側にカップリングの駆動軸とその駆動軸を回動させる鏡胴駆動モータが設けられ、駆動軸と従動軸とを連結することによって鏡胴駆動モータからレンズの鏡胴に対して駆動力を伝達し、レンズを前後させるように構成されている。
【００２５】
一方、レンズ内モータは、上記ボディ内モータのような機械的なカップリングを必要とせず、交換レンズ毎にモータが組み込まれ、ボディ側から送信されるレンズ駆動信号を受けてレンズを前後させるように構成されている。
【００２６】
本実施形態におけるレンズアダプタ付きカメラは、上記ボディ内モータによるレンズ駆動方式のものである。
【００２７】
２．レンズアダプタ
レンズアダプタ２は鏡胴を構成しており、その主胴部２ａに上記駆動軸１ｅと係合し得る、先端に凹溝を備えた従動軸２ｂが設けられている。
【００２８】
主胴部２ａの赤点２ｃをボディ側のレンズ指標１ｆに合わせてレンズアダプタ２を時計回りに回転させると、ボディ１にレンズアダプタ２を固定することができ、駆動軸１ｅと従動軸２ｂが自動的に連結されるようになっている。
【００２９】
図２は上記レンズアダプタ２の外観を示したものである。
【００３０】
同図において、本実施形態のレンズアダプタ２は、通常の交換レンズからレンズを収納している先端部（二点鎖線で示した部分）２ｄを切り欠いた構成からなり、したがって、この胴部内にはオートフォーカスのレンズ駆動機構のみが残されている。
【００３１】
図３(ａ)は上記レンズアダプタ２の縦断面を、同図(ｂ)は非専用レンズ３の縦断面をそれぞれ示したものである。
【００３２】
図３(ａ)において、レンズアダプタ２は、固定部分である外側リング（胴部）２ｅとこの外側リング２ｅに対してヘリコイドねじで螺合している可動筒２ｆとを有している。
【００３３】
この可動筒２ｆは、上記したカップリングの駆動軸１ｅおよび従動軸２ｂを介してボディ１から回転力が伝達された際に、レンズ軸方向に設けられているキー（図示しない）をガイドとしてレンズ軸方向に移動するように構成されている。
【００３４】
この可動筒２ｆにおける先端部２ｇの内周面には、雌ねじ部２ｈが形成されており、この雌ねじ部２ｈは、非専用レンズ３の後端部に形成されている雄ねじ部３ａと螺合するようにねじ切りされている。すなわち、雌ねじ部２ｈは非専用レンズ３接続用のレンズ変換アダプタとして機能する。
【００３５】
なお、非専用レンズ３には、本来、レンズ焦点距離を確保するための胴部が備えられているが、その胴部と非専用レンズ３とが螺合によって接続されているものは、非専用レンズ３のみを胴部から容易に取り外すことができる。
【００３６】
例えば、非専用レンズ３としてタンバール９０ｍｍ／ｆ２．２のレンズ部分を使用する場合、ボディ１としてはＣＯＮＴＡＸ  Ｇ２を使用することができ、また、レンズアダプタ２としてはタンバールと同じ焦点距離を持つゾナー９０ｍｍ／ｆ２．８からレンズ部分を取り除いたもの（レンズを収納している先端部を切断し、雄ねじ部３ａを切り直す）を使用することができる。
【００３７】
次に、本発明のレンズアダプタ付きカメラの動作について説明する。
【００３８】
まず、非専用レンズ３の雄ねじ部３ａをレンズアダプタ２の雌ねじ部２ｈに螺合させて非専用レンズ３とレンズアダプタ２とを接続する（図３(ａ)および(ｂ)参照）。
【００３９】
次いで、その非専用レンズ３付きレンズアダプタ２を、ボディ１のレンズマウント１ｃに装着する（図１参照）。
【００４０】
このとき、ボディ１側の駆動軸１ｅとレンズアダプタ２側の従動軸２ｂが連結されるため、レンズアダプタ２における可動筒２ｆの移動動作は、ボディ１側から制御することができるようになる。
【００４１】
この状態で被写体にカメラを向け、シャッターボタン１ｈを半押しすると、従来公知の例えばアクティブフォーカスが働いて被写体までの距離が測定され、この距離の測定と連動するオートフォーカス機能が働いて焦点合わせが行われる。
【００４２】
具体的には、駆動軸１ｅが所定量回転し、従動軸２ｂを介して可動筒２ｆがレンズ軸方向に移動し、その可動筒２ｆの先端部２ｇに接続されている非専用レンズ３を前後に移動させて焦点合わせを行ない、焦点が合ったところで非専用レンズ３の移動を止める。
【００４３】
このように、本来、オートフォーカス用として製造されていない旧式の非専用レンズ３がオートフォーカスによって制御できるようになる。
【００４４】
また、上記タンバールのようなソフトフォーカスレンズは、開放ではソフト描写となり、ソフトフィルタとは全く異なり、独特な滲みを持つ柔らかな画像が得られるが、画像が柔らかくなる反面、焦点合わせが困難になり、ファインダーを覗きながら手動で焦点合わせを行ってもどこがベストの位置か分からなくなり著しく目が疲れることから、撮影者にかなりの負担を強いていた。
【００４５】
非専用レンズ３はもちろん、ボディ１との間で信号のやり取りを行わないため、自動露出を利用することはできないが、この種のソフトフォーカスレンズがオートフォーカスによって焦点合わせを自動化できれば、撮影者の負担を解消することができ、撮影に集中することができるようになるため、大きな利点となる。
【００４６】
なお、上記実施形態において、オートフォーカスはアクティブフォーカスに限らず、パッシブフォーカスであってもよく、また、両者を組み合わせたものであってもよい。
【図面の簡単な説明】
【００４７】
【図１】本発明に係るレンズアダプタ付きカメラの全体構成図である。
【図２】図１に示すレンズアダプタの外観を示した側面図である。
【図３】（ａ）は図２に示すレンズアダプタの縦断面図、（ｂ）は図１に示す非専用レンズの縦断面図である。
【符号の説明】
【００４８】
１    ボディ
１ａ  ファインダー窓
１ｂ  オートフォーカス用測距窓
１ｃ  レンズマウント
１ｄ  レンズ着脱ボタン
１ｅ  駆動軸
１ｆ  レンズ指標
２    レンズアダプタ
２ａ  主胴部
２ｂ  従動軸
２ｃ  赤点
２ｄ  先端部
２ｅ  外側リング
２ｆ  可動筒
２ｇ  先端部
２ｈ  雌ねじ部
３    非専用レンズ
３ａ  雄ねじ部
【図１】
0005260932.tif 000002
【図２】
0005260932.tif 000003
【図３】
0005260932.tif 000004